(57)【要約】【課題】  安定姿勢で確実に組付けることができ、強度の高い足場組付け装置を提供する。【解決手段】  主支持材１１の基端を基筒１２に固着し、その中心線Ｍ−Ｍと基筒１２の中心線Ｎ−Ｎによって仮想基準面Ｓを形成し、主支持材１１に対して傾斜する斜支持材１３の基端を基筒１２に固着する。斜支持材１３の中心線を仮想基準面Ｓ上に配置し、主支持材１１と斜支持材１３との間に、連結補強材１４を架設固着し、連結補強材１４の中心線を仮想基準面Ｓ上に配置する。翼片１５を主支持材１１先端に固着し、その左右に第１単管１に引掛かる一対のフック１６を設ける。両フック１６，１６間に、第１単管１の背後に直交配置した第２単管２を挟む間隔を保たせて配置し、第２単管２に係合するＵ形当て具１８を斜支持材１３に固着する。【選択図】      図１
0003116907.tif 000002
【実用新案登録請求の範囲】
【請求項１】
主支持材（１１）の基端を基筒（１２）外周面に固着すると共に、主支持材（１１）の中心線（Ｍ−Ｍ）と基筒（１２）の中心線（Ｎ−Ｎ）によって仮想基準面（Ｓ）を形成し、主支持材（１１）に対して傾斜する斜支持材（１３）の基端を主支持材（１１）に近付けて基筒（１２）外周面に固着すると共に、斜支持材（１３）の中心線を仮想基準面（Ｓ）上に配置し、主支持材（１１）先端近くと斜支持材（１３）先端近くとの間に、連結補強材（１４）を架設固着すると共に連結補強材（１４）の中心線を仮想基準面（Ｓ）上に配置し、仮想基準面（Ｓ）と主支持材（１１）の中心線（Ｍ−Ｍ）とに対して直交する翼片（１５）を主支持材（１１）先端に固着し、翼片（１５）の左右それぞれから該翼片（１５）に平行な第１単管（１）に引掛かる一対のフック（１６）を前記仮想基準面（Ｓ）に対し面対称に、且つ両フック（１６，１６）間に、前記第１単管（１）の背後に直交配置した第２単管２を挟む間隔を保たせて配置すると共に、フック（１６）の開放口は斜支持材（１３）側に位置させ、且つ第１単管（１）の外面に圧接する抜止めボルト４用ネジ孔（１７）をフック（１６）に設け、第２単管（２）に係合するＵ形当て具（１８）の基端を斜支持材（１３）先端に固着し、且つ第２単管（２）の外面に圧接する抜止め螺棒（５）用螺孔（１９）をＵ形当て具（１８）に設け、基筒（１２）に通した第３単管（３）を止める棒状抜止材（５ａ）を通す貫通孔（１２ａ）を基筒（１２）に設けた足場組付け装置。
【請求項２】
主支持材（１１）の基端を基筒（１２）外周面に固着すると共に、主支持材（１１）の中心線（Ｍ−Ｍ）と基筒（１２）の中心線（Ｎ−Ｎ）によって仮想基準面（Ｓ）を形成し、主支持材（１１）に対して傾斜する斜支持材（１３）の基端を主支持材（１１）に近付けて基筒（１２）外周面に固着すると共に、斜支持材（１３）の中心線を仮想基準面（Ｓ）上に配置し、主支持材（１１）先端近くと斜支持材（１３）先端近くとの間に、連結補強材（１４）を架設固着すると共に連結補強材（１４）の中心線を仮想基準面（Ｓ）上に配置し、仮想基準面（Ｓ）と主支持材（１１）の中心線（Ｍ−Ｍ）とに対して直交する翼片（１５）を主支持材（１１）先端に固着し、翼片（１５）の左右それぞれから該翼片（１５）に平行な第１単管（１）に引掛かる一対のフック（１６）を前記仮想基準面（Ｓ）に対し面対称に、且つ両フック（１６，１６）管に、前記第１単管（１）の背後に直交配置した第２単管２を挟む間隔を保たせて配置すると共に、フック（１６）の開放口は斜支持材（１３）側に位置させ、且つフック（１６）のネジ孔（１７）に捻込んだ抜止めボルト（４）を第１単管（１）外面に圧接させ、第２単管（２）に係合するＵ形当て具（１８）の基端を斜支持材（１３）先端に固着し、且つＵ形当て具（１８）の螺孔（１９）に螺締した抜止め螺棒（５）を第２単管（２）の外面に圧接させ、基筒（１２）に通した鉛直第３単管（３）を止める棒状抜止材（５ａ）を、基筒（１２）の貫通孔（１２ａ）に通し、所定の間隔を保って水平な横方向に列設した主支持材（１１）群上に足場板（９）を上載した足場組付け装置。
【請求項３】
バルコニー（６）の縦壁（７）の上面に沿って配置される横部材（２２）と、縦壁（７）の内側に角材（２５）を介して配置される縦部材（２３）と、横部材（２２）の先端に固定され、縦壁（７）の外面に沿って縦方向に配置される縦管（２７）およびその上方に横方向に固定される横管（２８）を有する管部材（２６）とで構成され、縦部材（２３）に設けた締結部材（２４）によって縦壁（７）に固定される保持体（２１）に、横管（２８）にフック（１６）を係合し、縦管（２７）にＵ形当て具（１８）を係合して取付けられ、主支持材（１１）に足場（８）の支柱（８ａ）を上載または締結するものであることを特徴とする請求項１に記載の足場組付け装置。
【請求項４】
第１単管（１）が、型枠（３０）を支持するホームタイ（３２）の端部にコンパネ（３１）を介して長ボルト（３３）によって取付けられ、垂直パイプ（３５）と平行パイプ（３６）とで構成されるＴ字状の型枠用アダプター（３４Ａ）のうち、コンパネ（３１）に平行な部分である平行パイプ（３６）であることを特徴とする請求項１または２に記載の足場組付け装置。
【請求項５】
第１単管（１）が、垂直パイプ（３５）の先端部がコンクリート（２０）に埋設されたインサートアンカーボルト（３７）に長ボルト（３３）で固定されたＴ字状のコンクリート用アダプター（３４Ｂ）のうち、コンクリート（２０）に平行な部分である平行パイプ（３６）であることを特徴とする請求項１または２に記載の足場組付け装置。
【考案の詳細な説明】
【技術分野】
【０００１】
本考案は、建築物のコンクリート壁を形成する作業や外装工事などを行う際に使用する足場を組むための足場組付け装置に関するものである。
【背景技術】
【０００２】
ビルやマンションをはじめとするあらゆる建築物のコンクリート壁を形成する作業や外装工事などを行う場合、その建築物の周囲に足場を組む必要がある。従来、この足場を組むための装置として、例えば、特許文献１に記載のものがある。
【特許文献１】実開昭５２−１１０７１６号公報
【０００３】
この文献に記載の足場取付装置は、水平方向に設けた上水平材の基端部と、その下位に設けた下傾斜材の基端部とを連結筒で連結し、かつ、下傾斜板を、下方向および左右一方向の両方向に斜めに傾斜させて、そのほぼ中間部分を傾斜した連結材で連結している。また、上水平材の先端部にフックを介して引掛片を設け、下傾斜板の先端部に二股部材を設けている。さらに、連結筒を支柱に嵌合すると共に、引掛片を横パイプに掛止させ、二股部材を縦パイプに掛止させるようにしている。そして、こうした装置を複数設け、隣接する上水平材の間に足場板を上載し、その上で作業を行うこととしている。
【考案の開示】
【考案が解決しようとする課題】
【０００４】
しかし、この従来の装置は、引掛片と二股部材の位置が左右方向に偏っているため、足場板の上に作業者が乗った際、その荷重が垂直下方向に作用せず、引掛片を軸として二股部材側に回転トルクが作用するので安定性に欠け、強度が劣るといった問題がある。従って、多くの作業者がこの足場板に乗るなどして大きな荷重が作用すると、当該装置がパイプから外れてしまう危険性がある。
【０００５】
また、この従来の装置では、引掛片と二股部材を、それぞれ横パイプと縦パイプに単に掛止しているのみであるため、安定性に欠け、これによっても当該装置が横パイプや縦管から外れてしまう危険性がある。
【０００６】
本考案はこうした問題に鑑み創案されたもので、パイプに外れることなく安定姿勢で確実に組付けることができ、強度の高い足場組付け装置を提供することを課題とする。
【課題を解決するための手段】
【０００７】
図１乃至図１９を参照して説明する。請求項１に記載の考案は、主支持材１１の基端を基筒１２外周面に固着すると共に、主支持材１１の中心線Ｍ−Ｍと基筒１２の中心線Ｎ−Ｎによって仮想基準面Ｓを形成している。また、主支持材１１に対して傾斜する斜支持材１３の基端を主支持材１１に近付けて基筒１２外周面に固着すると共に、斜支持材１３の中心線を仮想基準面Ｓ上に配置し、主支持材１１先端近くと斜支持材１３先端近くとの間に、連結補強材１４を架設固着すると共に連結補強材１４の中心線を仮想基準面Ｓ上に配置している。
【０００８】
また、仮想基準面Ｓと主支持材１１の中心線Ｍ−Ｍとに対して直交する翼片１５を主支持材１１先端に固着し、翼片１５の左右それぞれから当該翼片１５に平行な第１単管１に引掛かる一対のフック１６を仮想基準面Ｓに対し面対称に、且つ両フック１６，１６間に、第１単管１の背後に直交配置した第２単管２を挟む間隔を保たせて配置すると共に、フック１６の開放口は斜支持材１３側に位置させ、且つ第１単管１の外面に圧接する抜止めボルト４用ネジ孔１７をフック１６に設けている。
【０００９】
さらに、第２単管２に係合するＵ形当て具１８の基端を斜支持材１３先端に固着し、且つ第２単管２の外面に圧接する抜止め螺棒５用螺孔１９をＵ形当て具１８に設け、基筒１２に通した第３単管３を止める棒状抜止材５ａを通す貫通孔１２ａを基筒１２に設けている。
【００１０】
請求項２に記載の考案は、主支持材１１の基端を基筒１２外周面に固着すると共に、主支持材１１の中心線Ｍ−Ｍと基筒１２の中心線Ｎ−Ｎによって仮想基準面Ｓを形成している。また、主支持材１１に対して傾斜する斜支持材１３の基端を主支持材１１に近付けて基筒１２外周面に固着すると共に、斜支持材１３の中心線を仮想基準面Ｓ上に配置し、主支持材１１先端近くと斜支持材１３先端近くとの間に、連結補強材１４を架設固着すると共に連結補強材１４の中心線を仮想基準面Ｓ上に配置している。
【００１１】
また、仮想基準面Ｓと主支持材１１の中心線Ｍ−Ｍとに対して直交する翼片１５を主支持材１１先端に固着し、翼片１５の左右それぞれから当該翼片１５に平行な第１単管１に引掛かる一対のフック１６を仮想基準面Ｓに対し面対称に、且つ両フック１６，１６管に、第１単管１の背後に直交配置した第２単管２を挟む間隔を保たせて配置すると共に、フック１６の開放口は斜支持材１３側に位置させ、且つフック１６のネジ孔１７に捻込んだ抜止めボルト４を第１単管１外面に圧接させている。
【００１２】
さらに、第２単管２に係合するＵ形当て具１８の基端を斜支持材１３先端に固着し、且つＵ形当て具１８の螺孔１９に螺締した抜止め螺棒５を第２単管２の外面に圧接させている。そして、基筒１２に通した鉛直第３単管３を止める棒状抜止材５ａを、基筒１２の貫通孔１２ａに通し、所定の間隔を保って水平な横方向に列設した主支持材１１群上に足場板９を上載している。
【００１３】
請求項３に記載の考案は、請求項１に記載の考案において、バルコニー６の縦壁７の上面に沿って配置される横部材２２と、縦壁７の内側に角材２５を介して配置される縦部材２３と、横部材２２の先端に固定され、縦壁７の外面に沿って縦方向に配置される縦管２７およびその上方に横方向に固定される横管２８を有する管部材２６とで構成され、縦部材２３に設けた締結部材２４によって縦壁７に固定される保持体２１に、横管２８にフック１６を係合し、縦管２７にＵ形当て具１８を係合して取付けられ、主支持材１１に足場８の支柱８ａを上載または締結することを特徴とする。
【００１４】
請求項４に記載の考案は、請求項１または２に記載の考案において、第１単管１が、型枠３０を支持するホームタイ３２の端部にコンパネ３１を介して長ボルト３３によって取付けられ、垂直パイプ３５と平行パイプ３６とで構成されるＴ字状の型枠用アダプター３４Ａのうち、コンパネ３１に平行な部分である平行パイプ３６であることを特徴とする。
【００１５】
請求項５に記載の考案は、請求項１または２に記載の考案において、第１単管１が、垂直パイプ３５の先端部がコンクリート２０に埋設されたインサートアンカーボルト３７に長ボルト３３で固定されたＴ字状のコンクリート用アダプター３４Ｂのうち、コンクリート２０に平行な部分である平行パイプ３６であることを特徴とする。
【考案の効果】
【００１６】
請求項１および請求項２に記載の足場組付け装置１０は、上記の構成としているので、第１単管１、第２単管２および第３単管３に安定姿勢で確実に組付けることができる。
【００１７】
すなわち、足場板９に作業者が乗った際、その荷重が主支持材１１に作用するが、その荷重は垂直下に位置する斜支持材１３および当て具１８にそのまま垂直下方向に作用するので、従来技術のように左右水平方向の回転トルクが発生せず、よって安定性に優れる。また、一対のフック１６を、主支持材１１先端方向の左右水平方向のそれぞれに設けたことによっても、回転トルクの発生を防止することができ、さらに高い安定性を発揮することができる。従って、強度に優れ、より大きな荷重を支持することができる。
【００１８】
また、フック１６および当て具１８に、当該フック１６および当て具１８を、第１単管１および第２単管２に固定するためのネジ孔１７および螺孔１９を設けたので、当該フック１６および当て具１８が、第１単管１および第２単管２から外れてしまうのを確実に防止して強固に組付けることができる。従って、当該装置１０の安定姿勢をさらに高めることができる。
【００１９】
請求項３に記載の考案は、バルコニー６の縦壁７に組付けられる保持体２１に取付け、足場８を固定することができるので、ビルやマンションなどのコンクリート建築物を改修する際に極めて有用である。
【００２０】
請求項４に記載の考案は、第１単管１が、型枠３０を支持するホームタイ３２に取付けられる型枠用アダプター３４Ａの平行パイプ３６であるので、形枠内にコンクリート２０を打設する際に使用するホームタイ３２を有効に利用することができる。また、これによって、別個に長尺状の第１単管１を設ける必要がない。
【００２１】
請求項５に記載の考案は、第１単管１が、コンクリート２０に埋設されたインサートアンカーボルト３７に固定されたコンクリート用アダプター３４Ｂの平行パイプ３６であるので、別個に長尺状の第１単管１を設ける必要がない。
【考案を実施するための最良の形態】
【００２２】
本考案に係る足場組付け装置１０の第一実施形態を、図１乃至図４および図７に示す。これは、建物のコンクリート壁を形成する際に、コンクリート２０を打設する型枠３０に隣接して組付けて使用するものである。
【００２３】
この足場組付け装置１０は、主支持材１１の基端を基筒１２外周面に固着すると共に、主支持材１１の中心線Ｍ−Ｍと基筒１２の中心線Ｎ−Ｎによって仮想基準面Ｓを形成している。また、主支持材１１に対して傾斜する斜支持材１３の基端を主支持材１１に近付けて基筒１２外周面に固着すると共に、斜支持材１３の中心線を仮想基準面Ｓ上に配置し、主支持材１１先端近くと斜支持材１３先端近くとの間に、連結補強材１４を架設固着すると共に連結補強材１４の中心線を仮想基準面Ｓ上に配置している。
【００２４】
また、仮想基準面Ｓと主支持材１１の中心線Ｍ−Ｍとに対して直交する翼片１５を主支持材１１先端に固着している。また、翼片１５の左右それぞれから当該翼片１５に平行な第１単管１に引掛かる一対のフック１６を仮想基準面Ｓに対し面対称に、且つ両フック１６，１６間に、第１単管１の背後に直交配置した第２単管２を挟む間隔を保たせて配置している。フック１６の開放口は斜支持材１３側に位置させ、且つフック１６のネジ孔１７に捻込んだ抜止めボルト４を第１単管１外面に圧接させている。
【００２５】
さらに、第２単管２に係合するＵ形当て具１８の基端を斜支持材１３先端に固着し、且つＵ形当て具１８の螺孔１９に螺締した抜止め螺棒５を第２単管２の外面に圧接させている。
【００２６】
そして、基筒１２に通した鉛直第３単管３を止める棒状抜止材５ａを、基筒１２の貫通孔１２ａに通し、所定の間隔を保って水平な横方向に列設した主支持材１１群上に足場板９を上載している。
【００２７】
本実施形態に係る足場組付け装置１０は、第１単管１および第２単管２に安定姿勢で組付けることができる。すなわち、足場板９に作業者が乗って作業を行う場合、その荷重が主支持材１１に作用するが、当該荷重は主支持材１１の垂直下に位置する斜支持材１３および当て具１８に垂直方向に作用する。従って、左右水平方向の回転トルクが発生せず、安定性と強度に優れる。また、一対のフック１６を、主支持材１１の先端方向の左右水平方向に設けたことによっても、左右水平方向の回転トルクの発生を防止することができ、安定性および強度がさらに高められる。これにより、より大きな荷重を支持することができる。
【００２８】
さらに、この装置１０は、図７に示すように、フック１６および当て具１８の双方に、抜止めボルト４および抜止め螺棒５が螺合するネジ孔１７および螺孔１９を設けているので、当該ボルト４等をネジ孔１７等に螺合して、その先端部を第１単管１および第２単管２の外面に突き当てることによって、フック１６おび当て具１８が第１単管１および第２単管２から外れるのを未然に防止することができる。これによって、当該装置１０の安定姿勢をさらに確実に保つことができる。
【００２９】
なお、この装置１０は、図８に示すように、ホームタイ３２の両端部に取付けた型枠用アダプター３４Ａを介して取付けることもできるし、図９に示すように、コンクリート２０に埋設したインサートアンカーボルト３７に長ボルト３３を螺合して固定したコンクリート用アダプター３４Ｂを介して取り付けることもできる。
【００３０】
前者の場合は、図１６および図１７に示すように、第１単管１を、型枠３０を支持するホームタイ３２の端部にコンパネ３１を介して長ボルト３３によって取付けられ、垂直パイプ３５と平行パイプ３６とで構成されるＴ字状の型枠用アダプター３４Ａのうち、コンパネ３１に平行な部分である平行パイプ３６として取付ける。
【００３１】
また、後者の場合は、図１８および図１９に示すように、第１単管１を、垂直パイプ３５の先端部がコンクリート２０に埋設されたインサートアンカーボルト３７に長ボルト３３で固定されたＴ字状のコンクリート用アダプター３４Ｂのうち、当該コンクリート２０に平行な部分である平行パイプ３６として取付ける。
【００３２】
本考案に係る足場組付け装置１０の第二実施形態を、図５および図６に示す。これは、マンションの外壁を仕上げたり補修等するために、そのバルコニー６の下方に取り付けて使用するものである。なお、この装置１０は、第一実施形態で示す装置１０と使用形態が異なるものの、その構成は同じである。
【００３３】
この装置１０は、足場８の支柱８ａに、足場板９が上載される上水平材４１を有する支持金具４０を介して、主支持材１１を垂直方向に配置した状態で設けている。支持金具４０は、上水平材４１の直下に、斜め下方に傾斜する下傾斜板４２と、支柱８ａに嵌入する連結筒４３と、主支持材１１に嵌合する固定材４４を備えている。
【００３４】
さらに、主支持材１１の先端から左右水平方向に翼片１５を設け、当該翼片１５の左右それぞれから左右水平方向に設けられた第１単管１に上から掛止する一対のフック１６を設けている。また、斜支持材１３の先端部に、第１単管１の下面に直交して、アンカーボルト７０によって前後水平方向に設けられた第２単管２に下から掛止する当て具１８を設けている。なお、このアンカーボルト７０による固定手段は、具体的には、図１８および図１９に示す構成とすることができる。
【００３５】
そして、フック１６および当て具１８の双方に、それらを第１単管１および第２単管２に抜止めボルト４および抜止め螺棒５で固定するためのネジ孔１７および螺孔１９を設けている。
【００３６】
本実施形態に係る足場組付け装置１０は、一対のフック１６を、主支持材１１の先端から左右水平方向に設けた翼片１５の左右それぞれから左右水平方向に設けているので、足場板９に作業者が乗った際の荷重を、当該一対のフック１６が均等に受ける。従って、当該装置１０には左右水平方向の回転トルクが発生せず、安定姿勢を維持することができ、強度に優れる。
【００３７】
また、当て具１８を、主支持材１１の真横方向に設けた斜支持材１３の先端部に形成したので、回転トルクの発生がより抑制され、さらに安定した姿勢を維持し、高い強度を発揮することができる。
【００３８】
さらに、フック１６および当て具１８の双方に、当該フック１６および当て具１８を、第１単管１および第２単管２に抜止めボルト４および抜止め螺棒５で固定するためのネジ孔１７および螺孔１９を設けたので、当該装置１０をより確実に安定させることができる。
【００３９】
なお、この装置１０は、図１０に示すように、後述する図１８および図１９に示すコンクリート用アダプター３４Ｂを介して、バルコニー６に取付けることができる。また、この装置１０には、同図１０に示すように、既製のブラケットを複数取付けることができる。
【００４０】
本考案に係る足場組付け装置１０の第三実施形態を、図１１乃至図１５に示す。
これは、第一実施形態に示す装置１０を異なる状態で使用したものである。すなわち、バルコニー６に組付けられる保持体２１に取付けられるものである。保持体２１は、バルコニー６の縦壁７の上面に沿って配置される横部材２２と、縦壁７の内側に角材２５を介して配置される縦部材２３と、横部材２２の先端に固定され、縦壁７の外面に沿って縦方向に配置される縦管２７およびその上方に横方向に固定される横管２８を有する管部材２６とで構成され、縦部材２３に設けた締結部材２４によって縦壁７に固定されるものである。
【００４１】
そして、フック１６を横管２８に係合し、Ｕ形当て具１８を縦管２７に係合して取付けられる。この装置１０の主支持材１１には、図１４および図１５に示すように、ベース金具５０等を介して、足場８の支柱８ａを上載したり、また、図１２および図１３に示すように、足場８の支柱８ａをクランプ締結２９して固定する。これによって、バルコニー６を有するマンションなどの建築物の周囲に容易に足場８を組むことができる。
【図面の簡単な説明】
【００４２】
【図１】本考案の第一実施形態に係る足場組付け装置を示す側面図である。
【図２】図１に示す足場組付け装置の平面図である。
【図３】図１に示す足場組付け装置の使用状態を示す側面図である。
【図４】図１に示す足場組付け装置の使用状態を示す平面図である。
【図５】本考案の第二実施形態に係る足場組付け装置の使用状態を示す側面図である。
【図６】本考案の第二実施形態に係る足場組付け装置の使用状態を示す正面図である。
【図７】本考案における固定部材と孔部の実施形態を示す断面図である。
【図８】本考案の第一実施形態に係る足場組付け装置の他の態様を示す側面図である。
【図９】本考案の第一実施形態に係る足場組付け装置のさらに他の態様を示す側面図である。
【図１０】本考案の第二実施形態に係る足場組付け装置の他の態様を示す側面図である。
【図１１】本考案の第三実施形態に係る足場組付け装置が取付けられるバルコニーを示す側面縦断面図である。
【図１２】本考案の第三実施形態に係る足場組付け装置を示す側面図である。
【図１３】図１２に示す装置の平面図である。
【図１４】本考案の第三実施形態に係る足場組付け装置の他の態様を示す側面図である。
【図１５】図１４に示す装置の平面図である。
【図１６】第１単管として使用する型枠用アダプターを示す部分断面平面図である。
【図１７】図１６に示すアダプターの側面図である。
【図１８】第１単管として使用するコンクリート用アダプターを示す部分断面平面図である。
【図１９】図１８に示すアダプターの側面図である。
【符号の説明】
【００４３】
１        第１単管
２        第２単管
３        第３単管
４        抜止めボルト
５        抜止め螺棒
５ａ      棒状抜止材
６        バルコニー
６ａ      手摺
７        縦壁
８        足場
８ａ      足場の支柱
９        足場板
１０      足場組付け装置
１１      主支持材
１２      基筒
１２ａ    貫通孔
１３      斜支持材
１４      連結補強材
１５      翼片
１６      フック
１７      ネジ孔
１８      Ｕ形当て具
１９      螺孔
２０      コンクリート
２１      保持体
２２      横部材
２３      縦部材
２４      締結部材
２５      角材
２６      管部材
２７      縦管
２８      横管
２９      クランプ締結
３０      型枠
３１      コンパネ
３２      ホームタイ
３３      長ボルト
３４Ａ    型枠用アダプター
３４Ｂ    コンクリート用アダプター
３５      垂直パイプ
３６      平行パイプ
３７      インサートアンカーボルト
４０      支持金具
４１      上水平材
４２      下傾斜版
４３      連結筒
４４      固定材
５０      ベース金具
７０      アンカーボルト
８０      既製のブラケット
【図１】
0003116907.tif 000003
【図２】
0003116907.tif 000004
【図３】
0003116907.tif 000005
【図４】
0003116907.tif 000006
【図５】
0003116907.tif 000007
【図６】
0003116907.tif 000008
【図７】
0003116907.tif 000009
【図８】
0003116907.tif 000010
【図９】
0003116907.tif 000011
【図１０】
0003116907.tif 000012
【図１１】
0003116907.tif 000013
【図１２】
0003116907.tif 000014
【図１３】
0003116907.tif 000015
【図１４】
0003116907.tif 000016
【図１５】
0003116907.tif 000017
【図１６】
0003116907.tif 000018
【図１７】
0003116907.tif 000019
【図１８】
0003116907.tif 000020
【図１９】
0003116907.tif 000021